(57)【要約】  【課題】  室内機の前面パネルを取り外したり電装部を分解することなく現場で据付工事ができるようにし、その工事の簡易化を図る。  【解決手段】  本体の下面又は側面に室外機との接続線を接続する接続端子１３が設けられた空気調和機の室内機において、前記接続端子１３を覆うよう端子保護具１４を取り付け、前記端子保護具１４に、前記接続端子１３に接続される接続線１６を固定する配線固定具１５を備えた。【選択図】  図４
2006064298.tif 000002
【特許請求の範囲】
【請求項１】
本体の下面又は側面に室外機との接続線を接続する接続端子を設け、該接続端子を覆うよう端子保護具を取り付け、該端子保護具に、前記接続端子に接続される接続線を固定する配線固定具を備えたことを特徴とする空気調和機の室内機。
【請求項２】
請求項１に記載の空気調和機の室内機において、
前記配線固定具が、前記接続線を挿通するコンジットコネクタであることを特徴とする空気調和機の室内機。
【請求項３】
請求項１又は２に記載の空気調和機の室内機において、
前記端子保護具には、複数の除去片が形成され、特定の除去片を除去して形成した穴に前記配線固定具が取り付けられるようにしたことを特徴とする空気調和機の室内機。
【請求項４】
請求項１乃至３のいずれか１つに記載の空気調和機の室内機において、
前記接続端子が前記本体の底面又は側面に取り付けられ、前面パネル内の前記接続端子に対応する部分が該前面パネルに対して着脱自在となっていることを特徴とする空気調和機の室内機。
【発明の詳細な説明】
【技術分野】
【０００１】
本発明は、本体の下面、側面、又は裏面に室外機との接続線を接続する接続端子が設けられた空気調和機の室内機に関するものである。
【背景技術】
【０００２】
北米向け空気調和機では、火災その他の事故から人命や財産を保護するためのＵＬ規格が適用され、電気配線保護具としてのコンジットチューブでケーブルを覆うことが要求される。このため、従来では、空気調和機の室内機と室外機の間にケーブルで電気配線を行う据付工事の際に、室内機の外観部品である前面パネルや電装部を取り外し、さらに電装部の一部を分解してコンジットチューブを取り付けるためのコンジット取付具を取り出す必要があった（例えば、特許文献１参照）。
【特許文献１】特開２００３−０７４９０４号公報
【発明の開示】
【発明が解決しようとする課題】
【０００３】
このため、空気調和機の据付工事ごとに室内機の前面パネル取り外しや電装部の分解が必要となり、コンジットチューブ取り付けのために多大な手間がかかっていた。
【０００４】
本発明の目的は、室内機の前面パネルを取り外したり電装部を分解することなく現場での据付工事ができるようにし、その工事の簡易化を図った室内機を提供することである。
【課題を解決するための手段】
【０００５】
請求項１にかかる発明の空気調和機の室内機は、本体の下面又は側面に室外機との接続線を接続する接続端子を設け、該接続端子を覆うよう端子保護具を取り付け、該端子保護具に、前記接続端子に接続される接続線を固定する配線固定具を備えたことを特徴とする。
【０００６】
請求項２にかかる発明は、請求項１に記載の空気調和機の室内機において、前記配線固定具が、前記接続線を挿通するコンジットコネクタであることを特徴とする。
【０００７】
請求項３にかかる発明は、請求項１又は２に記載の空気調和機の室内機において、前記端子保護具には、複数の除去片が形成され、特定の除去片を除去して形成した穴に前記配線固定具が取り付けられるようにしたことを特徴とする。
【０００８】
請求項４にかかる発明は、請求項１乃至３のいずれか１つに記載の空気調和機の室内機において、前記接続端子が前記本体の底面又は側面に取り付けられ、前面パネル内の前記接続端子に対応する部分が該前面パネルに対して着脱自在となっていることを特徴とする。
【発明の効果】
【０００９】
本発明によれば、本体の下面又は側面に室外機との接続線を接続する接続端子を設け、該接続端子を覆うよう端子保護具を取り付け、該端子保護具に、前記接続端子に接続される接続線を固定する配線固定具を備えたので、前面パネルを取り外したり電装部を分解する必要がない。このため、コンジットチューブ取付工事が極めて簡素化され、現場工事の効率化、配線工事の品質向上等を図ることができる。
【発明を実施するための最良の形態】
【００１０】
図１は室内機本体１０の前面の斜視図、図２は図１のＡ部の拡大図である。図２において、前面パネル１１の右下角部分はアンダーカバー１２として着脱自在となっており、その奥の本体１０の右下面には室外機との接続線であるケーブルを接続する接続端子１３が設けられている。そして、接続端子１３は着脱自在の端子保護具（コンジット取付具を兼用する）１４により覆われている。この端子保護具１４の両側には本体１０への取付用のネジによる取付片１４ａが形成され、また現場取り外しの可能な複数の除去片１４ｂが形成されている。
【００１１】
以下、接続端子１３へのケーブルの接続方法について説明する。まず、図３に示すように、配線固定具（コンジットコネクタ）１５にケーブル１６を挿通してから、その配線固定具１５を端子保護具１４の背面の除去片１４ｂを除去して形成した穴１４ｂ’に挿通し、反対側からリング１５ａをその配線固定具１５の雄ネジ部１５ｂに螺合して、端子保護具１４に対して、配線固定具１５を一体化する。
【００１２】
次に、図４に示すように、心線を露出したケーブル１６の先端を接続端子１３に電気的に接続する。そして、端子保護具１４を接続端子１３を覆うようにその取付片１４ａの部分においてネジ（図示せず）により本体１０に固着する。
【００１３】
次に、ケーブル１６を覆うように挿入したコンジットチューブ（図示せず）を配線固定具１５のネジ１５ｃ（図３参照）の締め付けにより固定し、アンダーカバー１２の下部の除去片１２ａを除去して切り欠き穴１２ａ’を形成し、その切り欠き穴１２ａ’内にコンジットチューブが位置するようにそのアンダーカバー１２を前面パネル１１に取り付ければ、室内機の電気配線工事が完了しケーブル配線の防火構造が実現できる。
【００１４】
以上のように、本実施例では、コンジットチューブの取り付けの際に、室内機本体１０の下面において端子保護具１４に配線固定具１５を取り付けるので、前面パネル１１を取り外す必要がない。また、ケーブル１６は端子保護具１４に挿通されるのでケーブル１６の引き回しも僅かで済む。
【００１５】
したがって、空気調和機の据付工事の現場において、コンジットチューブ取付工事が極めて簡素化され、現場工事の効率化、配線工事の品質向上等を図ることができる。
【００１６】
なお、以上では配線固定具１５によりコンジットチューブを固定する場合について説明したが、コンジットチューブを使用しない据付工事においては、ケーブル１６が配線固定具１５により直接固定されることになる。
【００１７】
また、以上では本体１０の右下面に接続端子１３が設けられている場合について説明したが、右側面、左側面、左下面、中央下面、さらには裏面に端子が設けられている場合でも、その端子保護具１４をコンジット取付具として利用するので、上記した作用効果は同じである。また、ケーブル１６およびコンジットチューブの引出方向は、端子保護具１４の複数の除去片１４ｂのいずれを除去するかによって任意に決めることができる。
【図面の簡単な説明】
【００１８】
【図１】本実施例の室内機の前面斜視図である。
【図２】本実施例の室内機の右下面部分の拡大斜視図である。
【図３】本実施例の室内機の端子保護具への配線固定具の取付説明図である。
【図４】本実施例の室内機の接続端子への端子保護具、ケーブルおよび配線固定具の取付説明図である。
【図５】本実施例の室内機の接続端子への端子保護具、ケーブルおよび配線固定具の取付説明用の断面図である。
【符号の説明】
【００１９】
１０：室内機本体
１１：前面パネル
１２：アンダーカバー、１２ａ：除去片、１２ａ’：切り欠き穴
１３：接続端子
１４：端子保護具（コンジット取付具）、１４ａ：取付片、１４ｂ：除去片、１４ｂ’：穴、
１５：配線固定具（コンジットチューブを取り付ける際はコンジットコネクタとなる）、１５ａ：リング、１５ｂ：雄ネジ部、１５ｃ：ネジ
１６：ケーブル
【図１】
2006064298.tif 000003
【図２】
2006064298.tif 000004
【図３】
2006064298.tif 000005
【図４】
2006064298.tif 000006
【図５】
2006064298.tif 000007